(57)【要約】【課題】所定の平面領域内に複数の装置が配置される場合よりも装置全体の設置面積が小さくなる自動写真作成装置を提供する。【解決手段】本自動写真作成装置の撮影室２は、利用者Ｕが入る領域Ａと、利用者Ｕ’が入る領域Ｂとに分かれており、水平面に対して所定の角度に傾けられた仕切り板５によりができる。この構成により、同一水平面（床面）の領域内に２つの装置が配置される従来の構成よりも装置全体の設置面積を小さくすることができる。【選択図】図１
2005345706.tif 000002
【特許請求の範囲】
【請求項１】
互いに重複しない第１および第２の領域を含む筐体と、前記第１の領域における被写体である利用者を撮影する第１の撮像手段と、前記第２の領域における被写体である利用者を撮影する第２の撮像手段と、前記第１および第２の撮像手段の少なくとも一方により得られる撮影画像または当該撮影画像を含む合成画像を写真として出力する１つ以上の出力手段とを備える自動写真作成装置であって、
前記第１の領域は、所定の第１の床面を含み、
前記第２の領域は、前記第１の床面よりも高い位置にある第２の床面を含むことを特徴とする、自動写真作成装置。
【請求項２】
前記第１および第２の領域とは重複しない第３の領域における被写体である利用者を撮影する第３の撮像手段をさらに備え、
前記出力手段は、前記第１から第３までの撮像手段により得られる撮影画像または当該撮影画像を含む合成画像を写真として出力することを特徴とする、請求項１に記載の自動写真作成装置。
【請求項３】
前記第１の撮像手段は、前記第２の床面の下方に配置されることを特徴とする、請求項１または請求項２に記載の自動写真作成装置。
【請求項４】
前記第２の床面は、前記第１の撮像手段によって撮影されない位置に設けられることを特徴とする、請求項３に記載の自動写真作成装置。
【請求項５】
前記第１の領域と前記第２の領域との境界を形成する仕切り手段をさらに備えることを特徴とする、請求項１から請求項４までのいずれか１項に記載の自動写真作成装置。
【請求項６】
前記仕切り手段は、水平面に対して所定の角度だけ傾けられて配置され、
前記第１の撮像手段は、前記仕切り手段の下端近傍に配置され、
前記第２の撮像手段は、前記仕切り手段の上端近傍に配置されることを特徴とする、請求項５に記載の自動写真作成装置。
【請求項７】
互いに重複しない第１および第２の領域を含む筐体の前記第１の領域における被写体である利用者を撮影する第１の撮像ステップと、前記第２の領域における被写体である利用者を撮影する第２の撮像ステップと、前記第１または第２の撮影ステップにおいて得られる撮影画像または当該撮影画像を含む合成画像を写真として出力する出力ステップとを備える自動写真作成方法であって、
前記第１の領域は、所定の第１の床面を含み、
前記第２の領域は、前記第１の床面よりも高い位置にある第２の床面を含むことを特徴とする、自動写真作成方法。
【請求項８】
請求項７に記載の自動写真作成方法により写真として印刷されたことを特徴とする印刷媒体。
【発明の詳細な説明】
【技術分野】
【０００１】
本発明は、利用者をカメラで撮影し、その撮影画像に基づき生成される合成画像を写真として出力する自動写真作成装置に関する。
【背景技術】
【０００２】
従来より、利用者をカメラで撮影し、その撮影画像を写真として出力する遊技用写真作成装置が知られている。このような遊技用写真作成装置には、例えば撮影画像と合成すべき画像を、利用者の嗜好に応じて、予め用意された多種多様な装飾用の画像から選択したり、タッチペン等のペン型入力手段を用いて利用者が自由に描いて合成画像を作成できるように構成されている。利用者によるこのような行為は、撮影画像に対してなされるため、「落書き」と呼ばれる。
【０００３】
一般的に、この撮影や落書きは１つの筐体（ブースと呼ばれる）の内部で行われるが、従来の写真作成装置には、撮影のための第１の筐体と、当該第１の筐体に隣接する筐体であって落書きのための第２の筐体とを備えるものがある（特許文献１を参照）。この装置では、撮影を終えた利用者が隣接する第２の筐体内で落書きを行うので、次の利用予定者はその落書きが終了するまで待つことなく第１の筐体内で撮影を行うことができる。また、このような写真作成装置は、一般的にはゲームセンターなどの限られた平面領域内に複数が適宜に配置される。
【特許文献１】特許第３４６９８９１号公報
【発明の開示】
【発明が解決しようとする課題】
【０００４】
しかし、限られた平面領域内にできるだけ多くの写真作成装置を配置するためには、装置全体の設置面積はできるだけ小さい方が好ましい。近年では、２人以上の利用者を予定している場合が多く、これに応じて筐体が大型化しているため、装置全体の設置面積の縮小化の必要性は大きい。また、上記従来の写真作成装置では２つの筐体（ブース）が必要となるため、一般的な装置よりも２倍程度大きい設置面積が必要となり、好ましくない。
【０００５】
そこで本発明の目的は、所定の平面領域内に複数の装置が配置される場合よりも装置全体の設置面積が小さくなる自動写真作成装置および自動写真作成方法を提供することである。
【課題を解決するための手段】
【０００６】
第１の発明は、互いに重複しない第１および第２の領域を含む筐体と、前記第１の領域における被写体である利用者を撮影する第１の撮像手段と、前記第２の領域における被写体である利用者を撮影する第２の撮像手段と、前記第１および第２の撮像手段の少なくとも一方により得られる撮影画像または当該撮影画像を含む合成画像を写真として出力する１つ以上の出力手段とを備える自動写真作成装置であって、
前記第１の領域は、所定の第１の床面を含み、
前記第２の領域は、前記第１の床面よりも高い位置にある第２の床面を含むことを特徴とする。
【０００７】
第２の発明は、第１の発明において、前記第１および第２の領域とは重複しない第３の領域における被写体である利用者を撮影する第３の撮像手段をさらに備え、
前記出力手段は、前記第１から第３までの撮像手段により得られる撮影画像または当該撮影画像を含む合成画像を写真として出力することを特徴とする、請求項１に記載の自動写真作成装置。
【０００８】
第３の発明は、第１または第２の発明において、
前記第１の撮像手段は、前記第２の床面の下方に配置されることを特徴とする。
【０００９】
第４の発明は、第３の発明において、
前記第２の床面は、前記第１の撮像手段によって撮影されない位置に設けられることを特徴とする。
【００１０】
第５の発明は、第１から第４までのいずれか１つの発明において、
前記第１の領域と前記第２の領域との境界を形成する仕切り手段をさらに備えることを特徴とする。
【００１１】
第６の発明は、第５の発明において、
前記仕切り手段は、水平面に対して所定の角度だけ傾けられて配置され、
前記第１の撮像手段は、前記仕切り手段の下端近傍に配置され、
前記第２の撮像手段は、前記仕切り手段の上端近傍に配置されることを特徴とする。
【００１２】
第７の発明は、互いに重複しない第１および第２の領域を含む筐体の前記第１の領域における被写体である利用者を撮影する第１の撮像ステップと、前記第２の領域における被写体である利用者を撮影する第２の撮像ステップと、前記第１または第２の撮影ステップにおいて得られる撮影画像または当該撮影画像を含む合成画像を写真として出力する出力ステップとを備える自動写真作成方法であって、
前記第１の領域は、所定の第１の床面を含み、
前記第２の領域は、前記第１の床面よりも高い位置にある第２の床面を含むことを特徴とする。
【００１３】
第８の発明は、第７の発明において、
請求項７に記載の自動写真作成方法により写真として印刷されたことを特徴とする印刷媒体である。
【発明の効果】
【００１４】
上記第１の発明によれば、例えば第１の床面よりも高い位置にある第２の床面の下に、第１の領域の少なくとも一部を配置することができるので、所定の平面領域内に複数の装置が配置される場合よりも装置全体の設置面積を小さくすることができる。
【００１５】
上記第２の発明によれば、さらに第３の領域内の利用者を撮影するための第３の撮像手段を備える場合であっても、所定の平面領域内に複数の装置が配置される場合よりも装置全体の設置面積を小さくすることができる。
【００１６】
上記第３の発明によれば、第１の床面よりも高い位置にある第２の床面の下に第１の撮像手段を配置することができるので、撮像手段と被写体である利用者との離隔距離を大きくとることができるとともに、所定の平面領域内に複数の装置が配置される場合よりも装置全体の設置面積を小さくすることができる。
【００１７】
上記第４の発明によれば、第２の床面が第１の撮像手段によって撮影されない位置（例えば第１の床面から適宜の高さ）に設けられるので、出力されるべき写真に含まれる画像の周縁近傍に利用者の前景として不要な第２の床面の像を生じないようにすることができる。
【００１８】
上記第５の発明によれば、仕切り手段により第１および第２の領域を物理的に分けることができるので、第１および第２の領域内の利用者が装置を使用する際に、互いに干渉されないようにすることができる。
【００１９】
上記第６の発明によれば、傾けられた仕切り手段の下端近傍に第１の撮像手段が配置され、その上端近傍に第２の撮像手段が配置されるので、装置全体の水平方向の長さを一般的な自動写真作成装置とほぼ同様にすることができるので、ほぼ同様の設置面積で、一般的な遊戯用写真作成装置の２台分の機能を有する自動写真作成装置を提供することができる。
【００２０】
上記第７の発明によれば、第１の発明と同様に、所定の平面領域内に複数の装置が配置される場合よりも装置全体の設置面積を小さくする自動写真作成方法を提供することができる。
【発明を実施するための最良の形態】
【００２１】
以下、本発明の一実施形態につき添付図面を参照して説明する。
＜１.  全体構成＞
図１は、本発明の一実施形態に係る自動写真作成装置である遊戯用写真作成装置を側面から見た図であり、図２は、この遊戯用写真作成装置の本体部を正面から（被写体としての利用者Ｕから）見た図である。以下、図１および図２を参照して、本実施形態に係る遊戯用写真作成装置の全体構成について説明する。
【００２２】
この遊戯用写真作成装置は、利用者Ｕおよび利用者Ｕ’が入る撮影室２と、利用者Ｕを撮影する撮像手段としてのカメラ１０と、カメラ１０により撮影された利用者Ｕの撮影画像を含む合成画像を生成して写真シールとして出力する本体部４と、利用者Ｕ’を撮影する撮像手段としてのカメラ１０’と、カメラ１０’により撮影された利用者Ｕ’の撮影画像を含む合成画像を生成して写真シールとして出力する本体部４’とを備えている。
【００２３】
なお、カメラ１０，１０’近傍の適宜の位置には、閃光を発する照明手段としての図示されないフラッシュがそれぞれ配置される。また、利用者Ｕ，Ｕ’前方の適宜の位置には、ＣＲＴ（Cathode Ray Tube）または液晶ディスプレイパネル等からなる表示装置である図示されないプレビューモニタがそれぞれ配置される。
【００２４】
撮影室２は、利用者Ｕが入る領域Ａと、利用者Ｕ’が入る領域Ｂとに分かれており、これらの領域は非透明の平板である仕切り板５により仕切られている。この領域Ａには本体部４およびカメラ１０が配置されており、領域Ｂには本体部４’およびカメラ１０’が配置されている。なお、この撮影室２の詳しい構成については後述する。ここで、これら領域Ａ内の本体部４およびカメラ１０と、領域Ｂ内の本体部４’およびカメラ１０’とは互いに独立して動作する。したがって、本遊戯用写真作成装置は、端的には一般的な２つの遊戯用写真作成装置を略鉛直方向へ積み重ねた構成となっている。以下では、説明の便宜のため、本体部４（およびカメラ１０）の構成および動作について説明し、本体部４（およびカメラ１０）と同様に構成され動作する本体部４’（およびカメラ１０’）についての説明は省略する。
【００２５】
本体部４は、利用者Ｕによる自由な作図（落書き）を行うための画面や、操作画面などを提供する液晶ディスプレイおよび当該操作画面を覆う操作位置検出用の透明シートからなる液晶タッチパネル２０と、液晶タッチパネル２０に対する操作に使用される２つのタッチペン２１Ｌ，２１Ｒとを備える。なお、タッチペン２１は１つのみが備えられてもよいし、３つ以上備えられてもよい。また、液晶タッチパネル２０は、上記透明シートを含まない静電誘導方式の操作位置検出機能を有する液晶タッチパネルなどであってもよい。
【００２６】
カメラ１０は、典型的には、ＣＣＤ（電荷結合素子）を利用してデジタル画像信号を生成するデジタルカメラであって、撮影室２（の領域Ａ）内に存在する利用者Ｕを撮影し、その撮影画像を表す画像信号を所定の信号線を介して本体部４へ出力する。プレビューモニタは、上記画像信号の表す画像をリアルタイムで表示するように本体部４と所定の信号線を介して接続されており、具体的には利用者Ｕが後述するシャッターボタンを押すか否かにかかわらず、カメラ１０によって得られる現在時点での撮影画像が表示される。
【００２７】
液晶タッチパネル２０は、落書きを行うための操作手段など、利用者Ｕによる各種操作を受け付ける操作手段として機能するとともに、落書きを行うための各種画面や各種案内などを表示する表示手段として機能する。
【００２８】
また本体部４は、コンピュータを中心に構成され各部の制御や後述する画像合成等の画像処理を行う図示されない主制御装置およびＩ／Ｏ制御装置や、カメラ１０により得られる撮影画像を含む合成画像を写真シールとして出力するプリンタを内蔵している。さらに、本体部４は、前面下方にコイン投入口２６を、側面に図示されない写真シールの取出口を、それぞれ備えている。さらにまた、本体部４は、本遊戯用写真作成装置の動作中は常時点灯される照明装置を撮影室内の適宜の位置（例えばカメラの左右や利用者の頭上近傍など）にそれぞれ備えている。
【００２９】
＜２.  機能的構成＞
図３は、本実施形態に係る遊戯用写真作成装置に含まれる本体部４およびカメラ１０などの要部を機能面から見た構成を示すブロック図である。この遊戯用写真作成装置は、機能的には、撮像部５２と、メイン表示・操作部６２と、出力部６６と、照明部７０と、Ｉ／Ｏ制御部７２と、主制御部８０とから構成される。なお、本遊戯用写真作成装置は、本体部４およびカメラ１０と完全に独立して動作する本体部４’およびカメラ１０’を含むが、これらは機能面の構成も同様であるので、前述の場合と同様にその説明を省略する。
【００３０】
この構成において、撮像部５２は、ＣＣＤ等の撮像素子を用いて構成されるカメラ１０に相当し、リアルタイムに画像を取り込んで当該画像（この画像は「スルー画像」と呼ばれるが、以下では「モニタ用撮影画像」というものとする）を表す画像信号を出力する。この画像信号は本体部４内の主制御部８０に入力されて、その内部のメモリにモニタ用画像データとして一時的に記憶される。また、このモニタ用画像データは、即時に画像信号として主制御部８０から確認表示部５４に供給される。確認表示部５４は、プレビューモニタに相当し、上記画像信号に基づきモニタ用撮影画像をリアルタイムで表示する。
【００３１】
メイン表示・操作部６２は、液晶タッチパネル２０に相当し、落書き処理に関連する利用者Ｕの操作、シャッター操作、プリント出力のための操作等を受け付け、これらの操作を示す信号は、操作信号として主制御部８０に入力される。利用者Ｕが撮影されるときには、主制御部８０からの指示に基づき、数秒程度の予め決められた時間の経過後にカメラ１０の撮影方向にフラッシュから閃光が放たれる。そのとき、利用者Ｕの撮影画像を表す信号として撮像部５２から出力される画像信号が主制御部８０に入力され、主制御部８０内のメモリまたは補助記憶装置としてのハードディスク装置等に撮影画像データとして格納される。
【００３２】
出力部６６は、本体部４に内蔵されるプリンタに相当し、主制御部８０からの指示に基づき、上記撮影画像データの表す画像を含む合成画像がレイアウトされた写真シールを出力する。
【００３３】
照明部７０は、本体部４における照明装置とフラッシュとに相当し、主制御部８０からの指示に基づきＩ／Ｏ制御部７２によって点灯／消灯および調光が制御される。
【００３４】
Ｉ／Ｏ制御部７２は、本体部４に内蔵されるＩ／Ｏ制御装置に相当し、主制御部８０からの指示に基づき、照明部７０を制御すると共に、後述のコイン検出部（不図示）からの検出信号等の入力信号を主制御部８０へ転送する。
【００３５】
主制御部８０は、本体部４に内蔵され、ＣＰＵ（Central Processing Unit ）や、メモリ、フレームバッファ、タイマー、補助記憶装置などを含むコンピュータを中心に構成される主制御装置に相当し、内部メモリに格納された所定プログラムをＣＰＵが実行することにより、上述のようにして入力される操作信号に基づき各部を制御するために、上述のように各部に指示を出す。また、当該合成画像に対する落書き処理を行うための操作信号に基づき上記画像データの一部を書き換えることにより、当該合成画像に所定画像を描画した画像である合成画像を生成する。生成された合成画像はメイン表示・操作部６２に表示される。上記のような画像合成が終了すると、出力部６６からは複数の合成画像が適宜レイアウトされた写真シールが出力される。出力された写真シールは、本体部４の側面に設けられた取出口から取り出される。
【００３６】
上記の構成要素の他、本体部４におけるコイン投入口２６に投入されたコインを検出するためのコイン検出部（不図示）が更に本体部４に設けられており、主制御部８０は、コイン検出部での検出結果に基づき、利用者Ｕに所定時間だけ撮影や撮影画像に対する描画等による合成画像の生成など、本遊戯用写真作成装置によるプレイを許容するように各部を制御する。このコイン検出部やその検出結果に基づく主制御部８０による制御動作は、従来の遊戯用写真作成装置と同様であって周知であるので、その詳しい説明を省略する。
【００３７】
なお、主制御装置において実行される上記所定プログラムは、例えば、そのプログラムを記録した記録媒体であるＣＤ−ＲＯＭによって提供される。すなわち、上記所定プログラムの記録媒体としてのＣＤ−ＲＯＭが主制御装置内に補助記憶装置として内蔵されたＣＤ−ＲＯＭ駆動装置に装着され、そのＣＤ−ＲＯＭから所定プログラムが読み出されて補助記憶装置としてのハードディスク装置にインストールされる。また、上記所定プログラムは、ＣＤ−ＲＯＭ以外の記録媒体や通信回線を介して提供されてもよい。そして、本遊戯用写真作成装置の起動のための所定操作がなされると、ハードディスク装置にインストールされた所定プログラムは、主制御装置内のメモリに転送されてそこに一時的に格納され、主制御装置内のＣＰＵによって実行される。これにより、主制御装置による上記各部の制御や画像処理が実現される。
【００３８】
＜３.  撮影室の構成＞
図１に示すように、撮影室２は、仕切り板５によって領域Ａと領域Ｂとに分けられており、これらの領域Ａ，Ｂは鉛直方向に（すなわち上方から見ると）重なるように配置されている。また、カメラ１０は領域Ａ内の床面Ｆ上に立つ被写体である利用者Ｕを撮影可能なように、カメラ１０’は領域Ｂ内の被写体である利用者Ｕ’を撮影可能なようにそれぞれ適宜の位置および角度に設置されている。
【００３９】
図４は、これらのカメラの撮影範囲を概略的に示す側面図である。図４に示されるように、カメラ１０により撮影されるのは領域Ａ内の斜線を付された領域である撮影範囲１００ａであり、カメラ１０’により撮影されるのは領域Ｂ内の斜線を付された領域である撮影範囲１００ｂである。これらの撮影範囲１００ａ，１００ｂは、カメラ１０，１０’の画角や撮影方向などを適宜に設定することにより、領域Ａ，Ｂを隔てる仕切り板５がカメラ１０，１０’によって撮影されないように設定されている。この仕切り板５はカメラと利用者との間に位置するため、これが撮影されると、写真シールに印刷される合成画像の周縁近傍に利用者の前景として好ましくない像を生じるからである。
【００４０】
これらの撮影範囲１００ａ，１００ｂは、カメラ１０，１０’の撮影方向のほか、カメラ１０，１０’の画角に大きく依存するが、この画角には好適な値がある。例えば、この画角が大きすぎると撮影された像に歪みが生じ、また小さすぎると利用者の全身を撮影するために利用者との離隔距離を大きくとらなければならない。したがって、ここでの好適な画角と利用者の平均身長からカメラと利用者との好適な離隔距離を定めることができる。また、利用者を好適に照明するための環境を含む様々な撮影環境を決定する要因からも上記離隔距離を定めることができる。図４では、このカメラ１０と利用者Ｕとの水平方向の離隔距離がＬａとして示され、カメラ１０’と利用者Ｕ’との水平方向の離隔距離がＬｂとして示されている。なお、この水平方向とは、カメラ１０および利用者Ｕ（またはカメラ１０’および利用者Ｕ’）を水平に結ぶ直線に沿った方向を指し、以下同様であるものとする。
【００４１】
ここで、従来の遊戯用写真作成装置と同様に、所定の平面領域上に本体部４およびカメラ１０を含む第１の筐体と、本体部４’およびカメラ１０’を含む第２の筐体とが併設される構成の装置では、装置全体の水平方向の長さがＬａおよびＬｂの和となるので、設置面積が大きくなる。すなわち、一般的な遊戯用写真作成装置のほぼ２倍の設置面積が必要となる。
【００４２】
また、１つの一般的な遊戯用写真作成装置の上（具体的には天井部分）に、同様の遊戯用写真作成装置を積み重ねた２階建ての装置構成としてもよいが、この構成では、設置面積は大きくならないとしても、一般的な遊戯用写真作成装置のほぼ２倍の高さとなるので、装置の設置場所に十分な高さが必要となるとともに、装置に十分な構造強度が必要となる。
【００４３】
そこで、本遊戯用写真作成装置では、図４に示されるように、水平面に対して所定の角度（具体的にはカメラ１０とカメラ１０’とを結ぶ直線と水平面とがなす角度）に傾けられた仕切り板５により分けられた領域Ａ，Ｂ内であって、当該仕切り板５の両端（上辺および下辺）近傍にカメラ１０，１０’が配置される。このカメラ１０およびカメラ１０’の撮影方向は水平面に沿って互いに逆方向（ここでは内側に向き合う方向）となる。この構成により、装置全体の水平方向の長さをほぼＬａ，Ｌｂ程度とすることができるので、一般的な遊戯用写真作成装置とほぼ同様の設置面積で、その２台分の機能を有する遊戯用写真作成装置を提供することができる。
【００４４】
また、本遊戯用写真作成装置の水平方向の長さは、厳密には上記離隔距離Ｌａに、利用者Ｕ’が立つ場所を確保するための床面領域（以下「ステップ領域」という）の水平方向の長さ（以下「ステップ長」という）Ｌｓを加えた長さとなる。このステップ領域は、利用者Ｕ’が安定して立つことができるように、ほぼ水平であること、および生理学的・心理学的観点などから見て好適な程度の大きさや形状を有することが求められる。なお、ここでは利用者が立っている状態であることを前提とするが、座っている状態や、各種姿勢をとっている状態であることを前提としてステップ領域が定められてもよい。
【００４５】
さらに、カメラ１０も所定の大きさを有しており、利用者Ｕが立つ床面Ｆから適宜の高さに設置する必要があるため、カメラ１０を適宜の位置に設置するための空間（以下「カメラ配置空間」という）が必要とされる。したがって、装置全体の水平方向の長さをできるだけ小さくするには、上記ステップ領域を上記カメラ配置空間の上方に設けることが好ましい。
【００４６】
ここで、上記構成とは異なり、この利用者Ｕ’が立つためのステップ領域を利用者Ｕが立つための床面Ｆと同一平面上に設ける構成とする場合、上記ステップ領域は、カメラ１０による撮影の障害とならないよう当該カメラ１０の前方（すなわち利用者Ｕが立つ方向）に利用者Ｕ’が立つことのない位置に設けなければならない。すなわち、この構成でのステップ領域は、カメラ１０を配置するためのカメラ配置空間の後方に設けられることになる。その結果、この構成では少なくともステップ長Ｌｓの長さ分だけ装置全体の水平方向の長さが増大する。
【００４７】
さらに、このカメラ配置空間は例えばカメラ１０を保護するため箱状の筐体（以下「カメラ用筐体」という）によって構成されるので、ステップ領域は、このカメラ用筐体上面の全部または一部が撮影範囲１００ｂ内にあることにより、当該上面が撮影されない位置または利用者Ｕ’の足下近傍が当該上面によって隠されることのない位置に設けられる。すなわち、ステップ領域は撮影範囲１００ｂ外であってカメラ配置空間から後ろ方向へ所定の距離だけ離れた所定位置に設けられる。そのため、この構成では装置全体の水平方向の長さがさらに増大する。したがって、利用者Ｕ’が立つためのステップ領域を利用者Ｕが立つための床面Ｆと同一平面上に設けるこの構成は好ましくなく、ステップ領域をカメラ配置空間の上方に設ける本遊技用写真作成装置の構成が好ましい。
【００４８】
ここでは、必要とされるカメラ配置空間の水平方向の長さはステップ長Ｌｓより十分に小さいため、本装置には、ステップ領域として使用するための十分な強度と大きさとを備える上面を有する所定のカメラ用筐体が設けられ、そのカメラ用筐体の側面のうち利用者Ｕが立つ側の側面近傍にカメラ１０が取り付けられる。また、利用者Ｕが立つ床面Ｆから利用者Ｕ’が立つステップ領域までの高さ、すなわちカメラ配置空間を構成するカメラ用筐体の高さは、カメラ１０の大きさと撮影に適した高さとに基づき適宜に決定される。この構成により、本遊戯用写真作成装置の水平方向の長さは、上記離隔距離Ｌａにステップ長Ｌｓを加えた長さに抑えることができる。
【００４９】
なお、カメラ１０’のカメラ配置空間はステップ領域とは関係がないため、カメラ１０’は利用者Ｕの頭上近傍であって領域Ｂ内の適宜の位置に設けられるが、ここではカメラ１０とカメラ１０’とは同様の装置であるので、カメラ１０’と利用者Ｕ’との水平方向の離隔距離Ｌｂは前述の離隔距離Ｌａとほぼ等しくなる。よって、カメラ１０’のカメラ配置空間はカメラ１０のカメラ配置空間とほぼ等しい大きさとなっている。
【００５０】
＜４.  効果＞
上記のように本実施形態によれば、利用者Ｕ’が立つためのステップ領域は、利用者Ｕが立つための床面Ｆよりも高い位置に設けられるので、このステップ領域より下方に領域Ａのカメラ配置空間を設けることができる。よって同一水平面（床面）の領域内に２つの装置が配置される従来の構成よりも装置全体の設置面積を小さくすることができる。
【００５１】
また、本実施形態によれば、水平面に対して所定の角度に傾けられた仕切り板５が設けられており、当該仕切り板５の両端近傍にカメラ１０，１０’が水平面に沿って向かい合う方向を撮影方向とするように配置される。この構成により、装置全体の水平方向の長さを一般的な遊戯用写真作成装置とほぼ同様にすることができるので、ほぼ同様の設置面積で、一般的な遊戯用写真作成装置の２台分の機能を有する遊戯用写真作成装置を提供することができる。
【００５２】
＜５.  変形例＞
上記一実施形態では、仕切り板５は非透明の平板であるが、撮影範囲１００ａ，１００ｂにかからない限り仕切り板５の形状や素材は特に限定されない。また、利用者Ｕ，Ｕ’が同時に利用することを前提にする遊戯形態など、利用者Ｕ，Ｕ’が互いに見える特殊な遊戯形態を前提とするときには、仕切り板５は透明であってもよいし、さらには省略されてもよい。なお、遊戯性等の効果を高めるため、写真シールに印刷される合成画像の周縁近傍に利用者の前景として仕切り板５の像を生じさせたい場合、仕切り板５は、撮影範囲１００ａ，１００ｂにかかるような位置に配置される。
【００５３】
上記一実施形態では、領域Ａには本体部４が配置されており、領域Ｂには本体部４’が配置されているが、これらの本体部４，４’の機能の全部または一部は、いずれか一方の本体部または本体部以外の装置により実現されてもよい。例えば、主制御装置は、本体部４，４’の一方にのみ備えられ、その他方のための機能を併せて実現してもよい。図６は、このような遊戯用写真作成装置に含まれる本体部４，４’およびカメラ１０などの要部を機能面から見た構成を示すブロック図である。この遊戯用写真作成装置は、機能的には図３に示される、カメラ１０に対応する撮像部５２と、本体部４に対応するメイン表示・操作部６２、出力部６６、照明部７０、Ｉ／Ｏ制御部７２、および主制御部８０とを備えるとともに、さらに、カメラ１０’に対応する撮像部５２’と、本体部４’に対応するメイン表示・操作部６２’、出力部６６’、および照明部７０’とを備える。なお、これらの構成要素の機能は、前述の場合と同様であるのでその説明を省略する。このように構成すれば、主制御部８０（およびＩ／Ｏ制御部７２）が１つで足りるので、製造コストを下げることができる。なお、この主制御部８０（およびＩ／Ｏ制御部７２）は本体部４’に内蔵されてもよいし、本体部４，４’に含まれない他の装置に含まれてもよい。また、プリンタは、本体部４，４’の一方にのみ備えられ、その他方のための機能を併せて実現してもよい。さらに、カメラやフラッシュなども１つのみが備えられ、これらを搭載する所定の搬送手段で領域Ａと領域Ｂとの間を適宜移動させることにより、１台で２台分の機能が併せて実現されてもよい。さらにまた、液晶タッチパネル２０およびタッチペン２１Ｌ，２１Ｒは、本体部に備えられず、本体部以外の所定の編集端末などに備えられてもよい。
【００５４】
上記一実施形態では、ステップ領域として使用するための十分な強度と大きさとを備える上面を有する箱形のカメラ用筐体が設けられ、そのカメラ用筐体の側面近傍にカメラ１０が取り付けられるが、ステップ領域をカメラ配置空間の上方に設ける構成であれば、ステップ領域は平板などの形状であってもよいし、カメラ１０はステップ領域として使用される上面を有しないカメラ用筐体に収納されてもよい。図５は、本変形例の遊戯用写真作成装置を側面から見た図である。この装置は、図４に示す装置とは異なり、カメラ１０に代えて同様の機能を有する比較的小さなカメラ１１が備えられており、このカメラ１１はステップ領域とは無関係の上面を有する比較的小さな所定のカメラ用筐体１１１に収納されている。また、本変形例の装置には、当該カメラ１１の撮影範囲１００ａ’にかからないように、ステップ領域として使用されるステップ板１１０が備えられている。この構成では、カメラ１１と利用者Ｕとの水平方向の離隔距離Ｌａ’を図４に示す離隔距離Ｌａよりも大きくすることができ、また、ステップ板１１０の一部が撮影範囲１００ａ’にかからないように、すなわち写真シールに印刷される合成画像の周縁近傍に利用者の前景としての不要な像を生じないように、ステップ板１１０の（利用者Ｕが立つ床面Ｆからの）高さをさらに大きく設定することにより、ステップ板１１０のステップ長Ｌｓをさらに大きくすることもできる。
【００５５】
上記一実施形態では、撮影室２が領域Ａおよび領域Ｂに分かれており、この領域Ａには本体部４およびカメラ１０が、領域Ｂには本体部４’およびカメラ１０’がそれぞれ配置されているが、撮影室は３つ以上の領域に分かれていてもよい。以下、２つの例を挙げて説明する。
【００５６】
図７は、撮影室が３つの領域に分かれる変形例の一例である遊戯用写真作成装置の側面図である。この遊戯用写真作成装置における撮影室２０２は、領域Ａ、領域Ｂ、および領域Ｃに分かれており、この領域Ａには図示されない本体部と利用者Ｕａを撮影するカメラ１０ａとが、領域Ｂには図示されない本体部と利用者Ｕｂを撮影するカメラ１０ｂとが、領域Ｃには図示されない本体部と利用者Ｕｃを撮影するカメラ１０ｃとが、それぞれ配置されている。なお、これらの機能は上記一実施形態と同様であるので説明を省略する。また図８は、上記変形例の一例である装置の各カメラの撮影範囲を概略的に示す側面図である。図８に示すように、カメラ１０ａにより撮影されるのは領域Ａ内の斜線を付された領域である撮影範囲１０２ａであり、カメラ１０ｂにより撮影されるのは領域Ｂ内の斜線を付された領域である撮影範囲１０２ｂであり、カメラ１０ｃにより撮影されるのは領域Ｃ内の斜線を付された領域である撮影範囲１０２ｃである。これらの撮影範囲１０２ａ，１０２ｂ，１０２ｃは、各領域を隔てる仕切り板がカメラ１０ａ，１０ｂ，１０ｃによって撮影されないように設定されている。また、上記一実施形態におけるカメラ１０と同様、カメラ１０ａは、床面Ｆから所定の高さに設けられた利用者Ｕｂが立つためのステップ領域の下方に設置されている。よって床面Ｆの領域内に複数の装置が配置される従来の構成よりも装置全体の設置面積を小さくすることができる。なお、カメラ１０ａは利用者Ｕｃが立つためのステップ領域の下方に設置されても、同様の効果を奏することができる。
【００５７】
図９は、撮影室が３つの領域に分かれる変形例の別例である遊戯用写真作成装置の側面図である。この遊戯用写真作成装置における撮影室３０２の構成は、図７に示す構成とほぼ同様であるが、利用者Ｕｃが立つためのステップ領域が、利用者Ｕｂが立つステップ領域ための床面Ｆよりもさらに高い位置に設けられるので、各カメラの配置関係を図７に示す構成とは異なる適宜の関係に設定することができる。このような構成でも、ステップ領域より下方に領域Ａのカメラ配置空間を設けることができるので、床面Ｆの領域内に２つの装置が配置される従来の構成よりも装置全体の設置面積を小さくすることができる。
【図面の簡単な説明】
【００５８】
【図１】本発明の一実施形態に係る遊戯用写真作成装置の側面図である。
【図２】上記一実施形態に係る遊戯用写真作成装置の本体部を示す正面図である。
【図３】上記一実施形態に係る遊戯用写真作成装置の要部を機能面から見た構成を示すブロック図である。
【図４】上記一実施形態に係る遊戯用写真作成装置における各カメラの撮影範囲を示す側面図である。
【図５】上記一実施形態に係る変形例の遊戯用写真作成装置の側面図である。
【図６】上記一実施形態の変形例に係る遊戯用写真作成装置の要部を機能面から見た構成を示すブロック図である。
【図７】上記一実施形態の変形例における撮影室が３つの領域に分かれる一例である遊戯用写真作成装置の側面図である。
【図８】上記一実施形態の変形例における一例である遊戯用写真作成装置の各カメラの撮影範囲を示す側面図である。
【図９】上記一実施形態の変形例における撮影室が３つの領域に分かれる別例である遊戯用写真作成装置の側面図である。
【符号の説明】
【００５９】
２    …撮影室
４    …本体部
５    …仕切り板
１０，１１  …カメラ
２０  …液晶タッチパネル
２１  …タッチペン
２８  …写真シール取出口
５２  …撮像部（カメラ）
６２  …メイン表示・操作部（液晶タッチパネル）
６６  …出力部（プリンタ）
７０  …照明部（照明装置、フラッシュ）
７２  …Ｉ／Ｏ制御部（Ｉ／Ｏ制御装置）
８０  …主制御部（主制御装置）
１００，１０２…撮影範囲
１１０…ステップ板
１１１…カメラ用筐体
Ａ〜Ｃ…領域
Ｕ    …利用者
Ｌａ，Ｌｂ…離隔距離
Ｌｓ  …ステップ長
【図１】
2005345706.tif 000003
【図２】
2005345706.tif 000004
【図３】
2005345706.tif 000005
【図４】
2005345706.tif 000006
【図５】
2005345706.tif 000007
【図６】
2005345706.tif 000008
【図７】
2005345706.tif 000009
【図８】
2005345706.tif 000010
【図９】
2005345706.tif 000011